(57)【要約】【課題】弾性材料から成る中空の閉塞部材を膨張させることによりドアと出入口との間の隙間を閉塞するようにした遮音構造を改良し、更に遮音性能を向上する。【解決手段】部屋の出入口１を開閉するドア３１が閉じた状態でドアと出入口との間に生じる隙間に対向して弾性材料からなる中空の閉塞部材５１が設けられている。閉塞部材内に空気と密度が異なる不活性ガスを供給するガス供給手段５１を備えている。ドアが閉じた状態で閉塞部材内に不活性ガスを供給して閉塞部材を膨張させることにより出入口とドアの間の隙間を閉塞する。これにより、ドアと出入口との間から音声が漏れにくくなるとともに、音波が閉塞部材内に入射しても不活性ガスにより反射されるため、音波は殆ど閉塞部材を透過しない。したがって、閉塞部材内に空気が充填される場合と比べて向上する。【選択図】図２
2012140773.tif 000002
【特許請求の範囲】
【請求項１】
部屋の出入口を開閉するドアが閉じた状態で前記ドアと前記出入口との間に生じる隙間を閉塞するドアの遮音構造であって、
前記隙間に対向して設けられ、弾性材料からなる中空の閉塞部材と、空気と密度が異なる不活性ガスを前記閉塞部材内に供給するガス供給手段とを備え、
前記ドアが閉じた状態で前記閉塞部材内に前記不活性ガスを供給して前記閉塞部材を膨張させることにより前記隙間を閉塞するようにしたことを特徴とするドアの遮音構造。
【請求項２】
前記ドアを閉位置で施錠する施錠装置が施錠中か否かを検知する検知手段と、該検知手段からの情報に基づいて前記ガス供給手段を制御する制御手段とを設け、前記施錠装置が施錠中になると前記閉塞部材内に前記不活性ガスを供給し、前記施錠装置が解錠されると前記閉塞部材内への前記不活性ガスの供給を停止するようにしたことを特徴とする請求項１記載のドアの遮音構造。
【請求項３】
前記ガス供給手段は、前記不活性ガスを貯留するタンクと、該タンク内の不活性ガスを吸い出して前記閉塞部材内に圧送するポンプと、該ポンプと前記閉塞部材内とを連通接続する配管中に設けられる電磁弁とを含むことを特徴とする請求項２記載のドアの遮音構造。
【請求項４】
前記不活性ガスがヘリウム又はネオンであることを特徴とする請求項１乃至３のいずれかに記載のドアの遮音構造。
【請求項５】
前記閉塞部材が前記出入口の底部に埋設されるとともに、前記閉塞部材内に前記不活性ガスが供給されない状態で前記閉塞部材の上面が部屋内外の床面と略面一となるようにしたことを特徴とする請求項１乃至４のいずれかに記載のドアの遮音構造。
【発明の詳細な説明】
【技術分野】
【０００１】
本発明は、例えば旅客用船舶やホテルの客室等、高い遮音性が要求される部屋の出入口を開閉するドアの遮音構造に関し、より詳しくは、ドアが閉じた状態でドアと出入口との間に生じる隙間を閉塞するドアの遮音構造に関する。
【背景技術】
【０００２】
例えば旅客用船舶やホテルの客室等では、プライバシー保護のために、出入口を開閉するドアが閉じた状態において、部屋内部の音声が極力外部に漏れないようにする必要があるため、高い遮音性が要求される。
【０００３】
しかしながら、バリアフリー化のために、部屋の出入口の底部上面とそれに隣接する部屋内外の床面とを面一にする（段差を無くする）と、ドアの下端面と出入口の底部上面との間に隙間が生じてしまうので、十分な遮音性を確保することができない。
【０００４】
上記のような問題点に鑑み、下記特許文献１には、出入口とドアとの間の隙間を閉塞する遮音構造が提案されている。この遮音構造は、出入口とドアとの間の隙間に対向して弾性材料から成る中空の閉塞部材を設け、ドアが閉じた状態で当該閉塞部材内に高圧の空気を供給して閉塞部材を膨張させることにより隙間を閉塞するようにしている。
【先行技術文献】
【特許文献】
【０００５】
【特許文献１】特開２００１−２９４３８８
【発明の概要】
【発明が解決しようとする課題】
【０００６】
本発明は、上記遮音構造を改良し、更に遮音性能を向上することを目的としてなされたものである。
【課題を解決するための手段】
【０００７】
上記目的を達成するために、本発明は、部屋の出入口を開閉するドアが閉じた状態で前記ドアと前記出入口との間に生じる隙間を閉塞するドアの遮音構造であって、前記隙間に対向して設けられ、弾性材料からなる中空の閉塞部材と、空気と密度が異なる不活性ガスを前記閉塞部材内に供給するガス供給手段とを備え、前記ドアが閉じた状態で前記閉塞部材内に前記不活性ガスを供給して前記閉塞部材を膨張させることにより前記隙間を閉塞するようにしたことを特徴としている。
【０００８】
本発明によれば、ドアが閉じた状態でドアと出入口との間の隙間が閉塞されるため、ドアと出入口との間から音声が漏れにくくなる。また、音波が閉塞部材内に入射しても、閉塞部材内に充填された不活性ガスにより反射されるので、音波は殆ど閉塞部材を透過しない。したがって、閉塞部材内に空気が充填される場合と比べて遮音性が向上する。
【０００９】
なお、前記ドアを閉位置で施錠する施錠装置が施錠中か否かを検知する検知手段と、該検知手段からの情報に基づいて前記ガス供給手段を制御する制御手段とを設け、前記施錠装置が施錠中になると前記閉塞部材内に前記不活性ガスを供給し、前記施錠装置が解錠されると前記閉塞部材内への前記不活性ガスの供給を停止するようにしてもよい。
【００１０】
この場合、施錠装置の施錠及び解錠操作によりガス供給手段が自動的にＯＮ／ＯＦＦするため、手間が低減するとともに、プライバシーを確実に保護することができる。
【００１１】
なお、前記ガス供給手段としては、例えば、前記不活性ガスを貯留するタンクと、該タンク内の不活性ガスを吸い出して前記閉塞部材内に圧送するポンプと、該ポンプと前記閉塞部材内とを連通接続する配管中に設けられる電磁弁とを含むものとすることができる。
【００１２】
なお、前記不活性ガスの材質は特に限定されないが、例えば、ヘリウム又はネオンを用いることができる。
【００１３】
これは、音を伝える媒質である空気とこれら不活性ガスの密度差により、媒質間の境界面で音が反射する特性を利用したものである。
【００１４】
この場合、ヘリウムやネオンは比較的安価で入手が容易なため、製造コストが安価になるとともに、メンテナンスも容易となる。また、不活性ガスのため、万が一火災が発生したとしても、これらのガスが元で火災が拡大することがない。
【００１５】
また、前記閉塞部材を前記出入口の底部に埋設するとともに、前記閉塞部材内に前記不活性ガスが供給されない状態で前記閉塞部材の上面が部屋内外の床面と略面一となるようにすることもできる。
【００１６】
この場合、閉塞部材の上面と部屋内外の床面との間に段差が生じない所謂バリアフリー構造となるため、部屋に出入りする人が閉塞部材に躓きにくくなり、安全性が向上する。
【発明の効果】
【００１７】
本発明によれば、弾性材料から成る中空の閉塞部材を膨張させることによりドアと出入口との間の隙間を閉塞するようにした遮音構造の遮音性を向上することができる。
【図面の簡単な説明】
【００１８】
【図１】本発明の一実施形態である遮音構造を適用したドアと出入口を内側から見た斜視図である。
【図２】ドアを内側から見た正面図及び実施形態の遮音構造を模式的に示す図である。
【図３】図２のＡ−Ａ線断面図であり、（ａ）は閉塞部材が膨張していない状態、（ｂ）は閉塞部材が膨張している状態を示す図である。
【図４】ガス供給手段による不活性ガスの供給及び停止の手順を示すフローチャートである。
【発明を実施するための形態】
【００１９】
以下、本発明の遮音構造を、商船、フェリー等の船舶の客室のドアに適用した場合を例に挙げて説明する。
【００２０】
商船やフェリー等に適用される遮音構造については、乗客のプライバシーを保護するために客室内の音声が部屋の外部に漏れるのを確実に防止するとともに、乗客に快適な船旅を提供できるように、エンジン音や波音が客室内に侵入するのを極力防止する必要があり、高い遮音性能が要求される。
【００２１】
図１に示すように、部屋の出入口１を形成する逆Ｕの字形のドア枠１１の一側部に一対のヒンジ機構２１、２１を介して矩形板状のドア３１が水平方向に回動自在に連結されている。
【００２２】
ドア３１にはノブ３２と施錠装置４１が設けられており、出入口１を閉じた状態でドア３１を部屋の外側から開くことができないように施錠装置４１により施錠することができる。なお、施錠装置４１は公知の構造のものであり、詳しい説明は省略する。
【００２３】
図３に示すように、ドア３１の下端面に対向する床Ｆは、部屋の内側の床面Finと部屋の外側の床面Foutとが略面一となるように形成されている。そして、床Fには、ドア３1が閉じた状態でドア３１の下端面と対向する箇所に、ドア３１の幅方向に延びる溝Gが設けられている。
【００２４】
図２に示すように、ドア３１の下端面は床Fの上方に位置しており、ドア３１が閉じた状態でドア３１の下端面と出入口１の底部との間に隙間C（図３参照）が生じる。
【００２５】
この隙間Cを閉塞するべく、床Fの溝Gに閉塞部材５１が埋設されている。この閉塞部材５１は、ゴム等の遮音性が良好な弾性材料から成る中空筒状のもので、両端が閉塞されている。閉塞部材５１は断面矩形状で、その上面は床Fの部屋内外の床面Fin、Foutと略面一となっている。
【００２６】
このように、閉塞部材５１の上面と床面Fin、Foutとの間に段差が生じない所謂バリアフリー構造とすることで、部屋に出入りする人が閉塞部材５１に躓きにくくなるので、安全性が向上する。
【００２７】
図２に示すように、閉塞部材５１には配管５３を介してポンプ５４が連通接続されている。このポンプ５４は、タンク５５内に貯留された不活性ガスを吸い出して閉塞部材５１の空洞５１ａ（図３参照）内に圧送する。
【００２８】
この不活性ガスとしては、空気と密度が異なる遮音性が良好なものが用いられる。このような不活性ガスの材質は特に限定されないが、例えばヘリウムやネオン等を用いることができる。
【００２９】
ヘリウムやネオンは、比較的安価で入手が容易であるため、遮音構造の製造コストを安価にすることができるとともに、メンテナンスも容易になるという利点がある。
【００３０】
ポンプ５４と閉塞部材５１との間の配管５３には電磁弁５６が設けられている。この電磁弁５６は、そのソレノイドに通電していない状態ではポンプ５４と閉塞部材５１との間の流路を遮断し、ソレノイドに通電した状態では前記流路を開放するように構成されている。
【００３１】
ドア３１の施錠装置４１には、施錠装置４１が施錠中か否かを検知するセンサ５７が接続されている。このセンサ５７、ポンプ５４及び電磁弁５６は制御装置５８に接続されている。
【００３２】
制御装置５８は、CPU、ROM及びRAMを含むマイクロコンピュータにより構成され、CPUが、センサ５７からの情報に基づき、ROMに格納されたプログラムに従ってポンプ５４及び電磁弁５６を制御する。
【００３３】
ポンプ５４、タンク５５、電磁弁５６、センサ５７及び制御装置５８により、閉塞部材５１に対して不活性ガスの供給及び停止を行うガス供給手段５２が構成されている。
【００３４】
制御装置５８は、所定時間毎に図４に示す処理を実行する。この処理において、制御装置５８は、最初にセンサ５７からの情報に基づき、施錠装置４１が施錠中か否かを判定する（ステップＳ１０）。
【００３５】
制御装置５８は、ステップＳ１０で施錠中と判定した場合には、ポンプ５４が駆動中か否かを判定し（ステップＳ２０）、ポンプ５４が駆動中でない場合には、ポンプ５４を駆動するとともに電磁弁５６を開き（ステップＳ３０）、ポンプ５４が駆動中の場合には、この処理を終了する。
【００３６】
制御装置５８は、ステップＳ１０で施錠中でない（解錠されている）と判定した場合には、ポンプ５４が停止中であるか否かを判定し（ステップＳ４０）、ポンプ５４が停止中でない場合には、ポンプ５４を停止するとともに電磁弁５６を閉じ（ステップＳ５０）、ポンプ５４が停止中の場合には、この処理を終了する。
【００３７】
以上の処理を繰り返すことにより、施錠装置４１の状態に基づいて閉塞部材５１への不活性ガスの供給及び停止が自動的に行われる。
【００３８】
次に、上記のように構成された本実施形態の遮音構造の作用及び効果を説明する。
【００３９】
施錠装置４１が解錠されている状態においては、ポンプ５４は停止し、電磁弁５６は閉じられているため、閉塞部材５１の空洞５１ａ内には不活性ガスが供給されず、図３（ａ）に示す如く、閉塞部材５１の上面が床面４２、４３と略面一になっている。
【００４０】
この状態から、ドア３１を閉じて施錠装置４１で施錠すると、それがセンサ５７によって検知され、制御装置５８は、ポンプ５４を駆動するとともに電磁弁５６を開く。
【００４１】
これによって、タンク５５内の不活性ガスが閉塞部材５１の空洞５１ａ内に圧送され、図３（ｂ）に示す如く、閉塞部材５１が膨張してその上部が床Fの上方に突出し、ドア３１の下端面に圧接される。
【００４２】
これによって、ドア３１の下端面と閉塞部材５１との間の隙間C（図３（ａ）参照）が閉塞されるため、ドア３１の下端側から音声が漏れにくくなり、部屋の遮音性を確保することができる。
【００４３】
また、音波が閉塞部材５１の空洞５１ａ内に入射しても、空洞５１ａ内に充填された不活性ガスにより反射されるので、音波は殆ど閉塞部材５１を透過しない。したがって、閉塞部材５１内に空気が充填される場合と比べて遮音性が向上するものである。
【００４４】
施錠装置４１を解錠すると、それがセンサ５７によって検知され、制御装置５８は、ポンプ５４を停止するとともに電磁弁５６を閉じる。
【００４５】
これによって、閉塞部材５１の空洞５１ａ内への不活性ガスの圧送が停止し、閉塞部材５１がその弾性により収縮して膨張前の状態に復帰し、ドア３１の下端面より離間する（図３（ａ）参照）。よって、ドア３１を開くことができるようになる。
【００４６】
以上、具体的な構成に基づいて本発明の一実施形態を説明したが、本発明は上記実施形態の構成に限定されるものではなく、上記実施形態に種々の改変を施すことができる。
【００４７】
例えば、上記実施形態では、ドアの下端面と出入口との間に生じる隙間に対向して閉塞部材を設置するようにした場合について説明したが、ドアの上端面や側面と出入口との間に生じる隙間に対向して閉塞部材を設置するようにしてもよい。
【００４８】
また、上記実施形態では、ドアの施錠装置に連動して自動的にガス供給手段がON／OFFするようにしているが、これに代えて、人手でガス供給手段をON／OFFするようにしてもよい。
【００４９】
また、上記実施形態では、本発明の遮音構造を商船やフェリー等の船舶の客室のドアに適用した場合について説明したが、例えばホテルの客室等の高い遮音性が要求される部屋であれば、その他の部屋のドアにも本発明を適用可能であることは勿論である。
【００５０】
その他にも、本発明の要旨を逸脱しない範囲で、上記実施形態に種々の改変を施すことができる。
【産業上の利用可能性】
【００５１】
商船、フェリー等の船舶の客室、ホテルの客室等、プライバシー保護のために特に高い遮音性が要求される部屋のドアに対して好適に利用することができる。
【符号の説明】
【００５２】
１  出入口
３１  ドア
４１  施錠装置
５１  閉塞部材
５２  ガス供給手段
５３  ポンプ
５４  タンク
５６  電磁弁
５７  センサ（検知手段）
５８  制御装置

【図１】
2012140773.tif 000003
【図２】
2012140773.tif 000004
【図３】
2012140773.tif 000005
【図４】
2012140773.tif 000006